(57)【要約】【課題】容易に電子辞書の拡張更新などが行え、より高速に検索が行えるデータ検索システムを提供する。【解決手段】携帯して使用が可能なペン型入力装置１０１の画像取り込み部１１２により取り込まれた画像情報を、これとは別の文字情報解析＆検索装置１０２に無線送信し、文字情報解析＆検索装置１０２のデータベース格納部１２４に備えられている電子辞書で検索し、検索した結果得られた検索結果をペン型入力装置１０１に無線送信して表示部１１４に表示させる。【選択図】        図１
2004341609.tif 000002
【特許請求の範囲】
【請求項１】
ペン先に配置されて文字列の画像情報を読み取って電気信号に変換する画像取り込み部，この画像取り込み部が取り込んだ画像情報を無線信号に変換して送信する第１無線処理部，および表示部を備えたペン型入力装置と、
電子辞書を内蔵し、前記第１無線処理部より送信された無線信号を受信して画像情報に変換する第２無線処理部、およびこの第２無線処理部が変換した画像情報に含まれる文字列を抽出して抽出した文字列をもとに前記電子辞書を検索して辞書情報を取り出す演算処理部を備えた文字情報解析装置と
から構成され、
前記第２無線処理部は、前記演算処理部が取り出した辞書情報を無線信号に変換して送信し、
前記第１無線処理部は、前記第２無線処理部より送信された無線信号を受信して辞書情報に変換し、
前記第１無線処理部が変換した辞書情報を前記表示部に表示する
ことを特徴とするデータ検索システム。
【請求項２】
請求項１記載のデータ検索システムにおいて、
前記第２無線処理部より送信された無線信号を受信して辞書情報に変換する第３無線処理部と、
この第３無線処理部が変換した辞書情報を音声データに変換する音声処理部と、
この音声処理部が変換した音声データを出力するスピーカと
から構成された音声出力装置をさらに備える
ことを特徴とするデータ検索システム。
【発明の詳細な説明】
【０００１】
【発明の属する技術分野】
本発明は、筆記用具の形状を有するペン型入力装置により記載されている文字列を取り込み、電子辞書を用いて取り込んだ文字列の意味などを出力するデータ検索システムに関する。
【０００２】
【従来の技術】
電子情報技術の進歩により、名刺大の小型な端末で電子化された複数の辞書の検索が可能となり、電子辞書として普及している。このような、携帯型のデータ検索システムでは、検索対象の文字列などをキーボードにより入力している。キーボードは、複数のキーを備え、これらの各々に１文字が割り当てられたものである。従って、キーボードにより検索対象文字列を入力する場合、少なくとも、入力する文字列の文字の数だけキーの操作を行うことになる。
【０００３】
このため、キーボードを用いた入力では、検索を行う毎に資料などの文書から、データ検索システムの表示部やキーボードに目線を移動することになり、検索データを得るために時間を要し、能率が落ちるという問題がある。
これに対し、文書などの紙面に印刷されている文字列を光学的に読み取ることで検索対象の文字列を入力し、検索結果を表示部に表示する電子辞書装置が提案されている。
【０００４】
このような電子辞書装置として、読み取り装置を備えた筆記用具型の筐体に電子辞書を内蔵し、検索対象の文字列の入力から検索結果の出力までを、より容易に行えるようにするペン型電子辞書装置が提案されている（特許文献１参照）。
これは、図４に示すように、筆記用具型の入力装置４０１に、電源スイッチ４０２と認識部４０３と操作ボタン４０４と表示部４０５となどを備えたものである。
【０００５】
この装置では、電源スイッチ４０２を押して電源を投入した後、紙面４１１に印刷されている検索対象の文字列を、筆記用具型の入力装置４０１の先端部に設けた認識部４０３により読み取り、読み取った文字列をもとに情報を検索し、検索した結果を表示部４０５に表示出力するようにしている。これにより、利用者は、対象の文字列が印刷されている文書より目線を移動させることがないため、効率よく迅速に検索データを得ることが可能となる。
【０００６】
【特許文献１】
特開２０００−１６３４２６号公報
【０００７】
【発明が解決しようとする課題】
しかしながら、筆記用具型などの携帯型の筐体は、小型で取り扱いが容易ではあるが、記憶容量などに制限がある。このため、上述した従来の技術では、携帯型の電子辞書装置の内部に収めてある電子辞書を拡張あるいは更新する場合、装置の全体を更新することになる。また、消費電力などの条件から、筆記用具型などの携帯型の筐体では、高性能な演算処理部を内蔵することが容易ではない。このため、従来の携帯型の電子辞書装置では、入力の手間は省けるが、辞書の検索結果の表示出力に時間を要するという問題があった。
【０００８】
本発明は、以上のような問題点を解消するためになされたものであり、容易に電子辞書の拡張更新などが行え、より高速に検索が行えるデータ検索システムの提供を目的とする。
【０００９】
【課題を解決するための手段】
本発明に係るデータ検索システムは、ペン先に配置されて文字列の画像情報を読み取って電気信号に変換する画像取り込み部，この画像取り込み部が取り込んだ画像情報を無線信号に変換して送信する第１無線処理部，および表示部を備えたペン型入力装置と、電子辞書を内蔵し、第１無線処理部より送信された無線信号を受信して画像情報に変換する第２無線処理部、およびこの第２無線処理部が変換した画像情報に含まれる文字列を抽出して抽出した文字列をもとに電子辞書を検索して辞書情報を取り出す演算処理部を備えた文字情報解析装置とから構成され、第２無線処理部は、演算処理部が取り出した辞書情報を無線信号に変換して送信し、第１無線処理部は、第２無線処理部より送信された無線信号を受信して辞書情報に変換し、第１無線処理部が変換した辞書情報を表示部に表示するようにしたものである。
このシステムによれば、携帯可能なペン型入力装置以外に用意された電子辞書により、ペン型入力装置が取り込んだ文字列の辞書情報が検索される。
【００１０】
上記データ検索システムにおいて、第２無線処理部より送信された無線信号を受信して辞書情報に変換する第３無線処理部と、この第３無線処理部が変換した辞書情報を音声データに変換する音声処理部と、この音声処理部が変換した音声データを出力するスピーカとから構成された音声出力装置をさらに備えるようにしてもよい。
【００１１】
【発明の実施の形態】
以下、本発明の実施の形態について図を参照して説明する。
図１は、本発明の実施の形態におけるデータ検索システムの構成例を示す構成図である。このシステムは、ペン型入力装置１０１と文字情報解析＆検索装置（文字情報解析装置）１０２とから構成されたものである。
【００１２】
ペン型入力装置１０１は、タッチセンサ１１１，画像取り込み部１１２，画像信号処理部１１３，表示部１１４，無線処理部（第１無線処理部）１１５，制御部１１６，インク収容部１１７，ペン先１１８などを備えている。また、文字情報解析＆検索装置１０２は、マイクロプロセッサ（ＭＰＵ）１２１，無線処理部（第２無線処理部）１２２，プログラム格納部１２３，データベース格納部１２４などを備えている。
【００１３】
ペン型入力装置１０１のペン先１１８は、紙面に接触することにより変位するが、この変位が、タッチセンサ１１１により検出される。タッチセンサ１１１がペン先１１８の変位を検出すると、制御部１１６は、画像取り込み部１１２を動作させて画像を取り込ませる。制御部１１６は、タッチセンサ１１１がペン先１１８の変位を検出している間は、画像取り込み部１１２を動作させて所定のフレームレートで画像を取り込ませる。
【００１４】
例えば、図１（ｂ）に示すように、利用者が、ペン型入力装置１０１のペン先１１８を紙面４１１の上に当接し、紙面４１１の対象となる文字列の上をペン型入力装置１０１で走査する（なぞる）。このことにより、画像取り込み部１１２は、文字列がなぞられている間に、複数のフレーム（画像）を取り込む。
【００１５】
画像取り込み部１１２は、例えば、光学レンズ系とＣＭＯＳ型の固体撮像素子（イメージセンサ）とから構成されている。光学レンズ系は、ペン型入力装置１０１の先端部のペン先１１８の近傍に配置され、ペン先１１８の近傍に配置される文字列などの光像を取り込み、これをイメージセンサの受光面に投影する。イメージセンサの受光面に投影された光像は、イメージセンサにより光電変換される。イメージセンサの受光面に投影された光像は、例えば、毎秒数十フレームの速度でイメージセンサを構成する各画素により光電変換され、イメージセンサが内蔵するＡ／Ｄコンバータによりデジタル信号（画像データ）に変換される。変換された画像データは、画像取り込み部１１２より出力される。
【００１６】
ここで、画像取り込み部１１２にカラーイメージセンサを用いる場合、インク収容部１１７に収容されているインクを、ペン先１１８により対象となる文字列上に塗布（マーキング）するとともに、上述した画像の取り込みを行うようにしても良い。
インク収容部１１７に収容されているインクが、ペン型入力装置１０１のペン先１１８に供給されているので、ペン先１１８が紙面に接触すると、供給されているインクが紙面に塗布される。このようにして、インクが塗布されて着色された下地の色により文字の部分のコントラストを強調すれば、カラーイメージセンサの色感度を最大とすることが可能となり、取り込んだ画像の解像度を高めることができる。
【００１７】
以上に説明したことにより、画像取り込み部１１２により取り込まれて出力された画像データは、画像信号処理部１１３に転送される。
画像データを転送された画像信号処理部１１３では、転送された画像データを受信し、例えばＭＰＥＧ４などの所定のアルゴリズムにより画像データを圧縮して出力する。圧縮されて出力された画像データ（文字情報）は、図１（ｂ）に示すように、ペン型入力装置１０１（無線処理部１１５）に転送される。
【００１８】
無線処理部１１５では、制御部１１６の制御により、転送された画像データをデジタル変調して無線信号に変換し、変換した無線信号を文字情報解析＆検索装置１０２に対して送出する。無線処理部１１５では、例えば、振幅変調方式（ＯＯＫ）により受け付けた画像データを変調する。また、無線処理部１１５では、送出するキャリア周波数として、３２２ＭＨｚ以下を中心とする微弱電波を用いる。なお、位相変調方式（ＰＳＫ）や周波数変調方式（ＦＳＫ）により変調するようにしても良く、また、２．４ＧＨｚを中心とするＩＳＭバンドなどをキャリアとしても良い。
【００１９】
以上に説明したことにより送出された無線信号は、文字情報解析＆検索装置１０２の無線処理部１２２に受信され、圧縮された画像データに復調される。無線処理部１２２で復調された画像データは、ＭＰＵ１２１により伸張され、伸張された画像データより文字列が抽出される。文字列を抽出したＭＰＵ１２１は、データベース格納部１２４に記録されている電子辞書内を検索し、抽出した文字列に該当する辞書情報を取り出す。
【００２０】
ここで、ＭＰＵ１２１の動作について説明する。ＭＰＵ１２１は、プログラム格納部１２３に記録されている所定のプログラムにより動作する。プログラム格納部１２３には、画像処理プログラム，文字抽出プログラム，辞書検索プログラムなどが格納されている。これらプログラムにより動作するＭＰＵ１２１は、無線処理部１２２より復調された画像データを受け取ると、画像データを伸張し、伸張した画像データの中より、以下に説明することにより文字列を抽出する。
【００２１】
前述したように、ペン型入力装置１０１で印刷されている文字列をなぞることで取り込まれた画像は、図２（ａ）に示すように、複数のフレームで構成されている。画像取り込み部１１２が撮像する範囲は、予め取り込む文字の大きさ程度となるように設定しておけば、取り込まれた画像は、図２（ａ）に示すように、文字列中の文字が、走査方向と反対の方向へと連続して移動するような複数の画像となる。
【００２２】
ＭＰＵ１２１は、これら各フレームの中から、文字１個が中央に配置された画像を、文字列中の各々の文字について分離抽出する。まず、走査時間と走査速度とにより、取り込んだ文字列の文字数を推定し、推定した文字数で、複数のフレームを分割する。図２に示す例では、取り込んだ文字列の文字数が３文字と推定され、図２（ｂ）に示すように、４つ毎のフレームに３分割されている。
【００２３】
このように分割した後、分割した各グループの中より、画素密度が最も低い切れ目となる箇所が左右両端にあるフレームを選択することで、図２（ｃ）に示すように、各文字を抽出する。各々のグループより抽出した文字を組み合わせることで、文字列が抽出されたこととする。文字数を推定してフレームを分割することで、文字の抽出に要する時間を短縮することが可能となる。
【００２４】
以上に説明したことにより文字列を抽出したら、抽出した文字の画像データと、予め登録されている文字の画像パターンとを比較照合し、最も一致する画像パターンを選択し、選択した画像パターンに割り付けられているテキストコードを選択する。ＭＰＵ１２１は、これらを、文字毎に行うことで、文字列を構成する各々の文字のテキストコード（アスキーコード）を決定する。
【００２５】
抽出した文字列に対応するテキストコードを決定した後、ＭＰＵ１２１は、決定された文字列のテキストコードをもとに、データベース格納部１２４に格納されている辞書データを検索して該当する辞書情報を取り出す。辞書情報を取り出したＭＰＵ１２１は、取り出した辞書情報（検索結果）を無線処理部１２２に転送する。
【００２６】
取り出された検索結果を受け取った無線処理部１２２は、受け取った検索結果をデジタル変調して無線信号に変換し、変換した無線信号をペン型入力装置１０１に対して送出する（図１（ｂ））。
送出された無線信号は、ペン型入力装置１０１の無線処理部１１５に受信されて復調される。無線処理部１１５で復調された検索結果は、制御部１１６の制御により、表示部１１４に表示される。
【００２７】
以上に説明したように、図１に示すデータ検索システムによれば、電子辞書および検索などを行うＭＰＵ１２１などの演算処理部を、ペン型入力装置１０１より文字情報解析＆検索装置１０２に分離した。従って、電子辞書の拡張あるいは更新が容易となり、高性能な演算処理部により、検索動作などをより高速に行うことが可能となる。
【００２８】
つぎに、本発明の他の実施の形態について説明する。図３は、本実施の形態におけるデータ検索システムの構成例を示す構成図である。このシステムは、ペン型入力装置１０１，文字情報解析＆検索装置１０２，および音声出力装置１０３から構成されたものである。ペン型入力装置１０１と文字情報解析＆検索装置１０２は、図１に示したデータ検索システムと同様である。
【００２９】
図１のシステムと同様にペン型入力装置１０１より送出された無線信号は、文字情報解析＆検索装置１０２の無線処理部１２２に受信され、圧縮された画像データに復調される。無線処理部１２２で復調された画像データは、ＭＰＵ１２１により伸張され、伸張された画像データより文字列が抽出される。文字列を抽出したＭＰＵ１２１は、データベース格納部１２４に記録されている電子辞書内を検索し、抽出した文字列に該当する辞書情報を取り出す。
【００３０】
取り出された辞書情報は、検索結果としてペン型入力装置１０１に送出され、表示部１１４に表示される。
以上のことは、図１に示したシステムと同様である。
図３に示すシステムでは、データベース格納部１２４に記録されている電子辞書より取り出された辞書情報（検索結果）が、文字情報解析＆検索装置１０２より音声出力装置１０３にも送出される。
【００３１】
送出された検索結果は、まず、音声出力装置１０３の無線処理部１３１に受信されて復調される。無線処理部（第３無線処理部）１３１で復調された検索結果は、音声処理部１３２により音声データに変換される。検索結果を音声データに変換した音声処理部１３２は、変換した音声データをもとにスピーカ１３３を制御し、スピーカ１３３より音声を出力させる。以上のことにより、音声出力装置１０３より、音声により検索結果が出力される。
【００３２】
以上に説明したように、図３に示すデータ検索システムにおいても、電子辞書および検索などを行う演算処理部を、ペン型入力装置１０１より文字情報解析＆検索装置１０２に分離した。従って、電子辞書の拡張あるいは更新が容易となり、高性能な演算処理部により、検索動作などをより高速に行うことが可能となる。また、検索結果をペン型入力装置１０１の表示部１１４に表示するだけではなく、音声出力装置１０３より音声で出力するようにした。この結果、図３に示すシステムによれば、なぞることで画像取り込みした文字列の情報を、紙面より視線を移動することなく認知することが可能となる。
【００３３】
【発明の効果】
以上説明したように、本発明では、携帯して使用が可能なペン型入力装置により取り込まれた画像情報を、これとは別の文字情報解析装置に無線送信し、文字情報解析装置に備えられている電子辞書で検索し、検索した結果得られた検索結果をペン型入力装置に無線送信して表示させるようにした。このように、本発明では、携帯可能なペン型入力装置以外に用意された電子辞書により、ペン型入力装置が取り込んだ文字列の辞書情報が検索されるようにしたので、容易に電子辞書の拡張更新などが行え、より高速に検索が行えるデータ検索システムが提供できるという優れた効果が得られる。
【図面の簡単な説明】
【図１】本発明の実施の形態におけるデータ検索システムの構成例を示す構成図である。
【図２】画像取り込みされた文字列より文字を抽出する過程を示す説明図である。
【図３】本発明の他の実施の形態におけるデータ検索システムの構成例を示す構成図である。
【図４】従来よりあるペン型電子辞書装置の概略的な構成を示す構成図である。
【符号の説明】
１０１…ペン型入力装置、１０２…文字情報解析＆検索装置（文字情報解析装置）、１１１…タッチセンサ、１１２…画像取り込み部、１１３…画像信号処理部、１１４…表示部、１１５…無線処理部（第１無線処理部）、１１６…制御部、１１７…インク収容部、１１８…ペン先、１２１…マイクロプロセッサ（ＭＰＵ）、１２２…無線処理部（第２無線処理部）、１２３…プログラム格納部、１２４…データベース格納部。
【図１】
2004341609.tif 000003
【図２】
2004341609.tif 000004
【図３】
2004341609.tif 000005
【図４】
2004341609.tif 000006